(57)【特許請求の範囲】
【請求項１】
水を含む第１部分と脂質を含む第２部分とを含む組織に赤外帯域の光を照射して得られる試料画像をもとに、前記組織の前記赤外帯域における光強度の分布を示す分布データを生成する分布データ生成部と、
前記分布データをもとに、２以上の整数をＮとして前記赤外帯域の第１波長帯における前記光強度の分布のＮ階微分係数を、前記試料画像の領域ごとに算出する微分演算部と、
前記Ｎ階微分係数を階調値に変換し、前記第１部分を前記第２部分より強調した画像データを生成する画像データ生成部と、
を備える画像解析装置。
【請求項２】
前記第１部分は、前記第２部分と比較して前記水の比率が多い部分であり、
前記第２部分は、前記第１部分と比較して前記脂質の比率が多い部分である、請求項１に記載の画像解析装置。
【請求項３】
前記第１波長帯は、前記光強度の分布のうち非線形部分を含む波長帯に設定される、請求項１または請求項２に記載の画像解析装置。
【請求項４】
前記第１波長帯は、前記光強度の分布の極大値又は極小値を含む波長帯に設定される、請求項１から請求項３のいずれか一項に記載の画像解析装置。
【請求項５】
前記分布データ生成部は、前記分布データを前記試料画像の領域ごとに生成する、請求項１から請求項４のいずれか一項に記載の画像解析装置。
【請求項６】
前記第１波長帯は、前記水のスペクトル又は前記脂質のスペクトルに基づいて選定される、前記組織に含まれる所定物質のスペクトルに基づいて選択される、請求項１から請求項５のいずれか一項に記載の画像解析装置。
【請求項７】
前記分布データ生成部は、前記第１波長帯の少なくとも３波長を用いて前記分布データを生成する、請求項１から請求項６のいずれか一項に記載の画像解析装置。
【請求項８】
前記第１波長帯は９００ｎｍ以上１７００ｎｍ以下に設定される、請求項１から請求項７のいずれか一項に記載の画像解析装置。
【請求項９】
前記第１波長帯は、９００ｎｍ以上２０００ｎｍ以下の波長帯の少なくとも一部を含む、請求項１から請求項８のいずれか一項に記載の画像解析装置。
【請求項１０】
前記分布データ生成部は、前記Ｎよりも１以上大きい整数をＭとして、前記第１波長帯を含む波長帯のＭ個の波長のそれぞれに対する光強度を含む離散データを前記分布データとして生成し、
前記微分演算部は、前記分布データに含まれる光強度の差分を使って、前記第１波長帯におけるＮ階微分係数を算出する、請求項１から請求項９のいずれか一項に記載の画像解析装置。
【請求項１１】
前記分布データ生成部は、前記第１波長帯を含む波長帯における前記光強度の分布を表す連続関数を算出し、
前記微分演算部は、前記連続関数を使って、前記第１波長帯におけるＮ階微分係数を算出する、請求項１から請求項１０のいずれか一項に記載の画像解析装置。
【請求項１２】
前記微分演算部は、前記分布データ生成部が生成した前記分布データをもとに、前記赤外帯域の複数の波長のそれぞれにおける前記光強度の分布のＮ階微分係数を、前記試料画像の領域ごとに算出する、請求項１から請求項１１のいずれか一項に記載の画像解析装置。
【請求項１３】
前記複数の波長のそれぞれに対して前記微分演算部が算出したＮ階微分係数を使って、前記Ｎ階微分係数の絶対値が閾値以上である波長帯を抽出する抽出部を備える、請求項１２に記載の画像解析装置。
【請求項１４】
前記第１部分はリンパ節を含む部分である、請求項１から請求項１３のいずれか一項に記載の画像解析装置。
【請求項１５】
前記試料画像は、ハイパースペクトル画像を含む、請求項１から請求項１４のいずれか一項に記載の画像解析装置。
【請求項１６】
前記微分演算部は、前記分布データをもとに、２以上の整数をＮとして前記赤外帯域の第２波長帯における前記光強度の分布の第２のＮ階微分係数を、前記試料画像の領域ごとに算出し、
前記画像データ生成部は、前記第２のＮ階微分係数を階調値に変換し、前記第２部分を前記第１部分より強調した第２画像データを生成する、
請求項１から請求項１５のいずれか一項に記載の画像解析装置。
【請求項１７】
請求項１から請求項１６のいずれか一項に記載の画像解析装置と、
前記組織における前記試料画像を取得する撮像部と、を備える撮像システム。
【請求項１８】
前記画像データ生成部が生成した前記画像データを用いて、画像を表示する表示部、
を備える請求項１７に記載の撮像システム。
【請求項１９】
前記第１部分を強調した画像データに基づく強調画像と前記組織を可視光で撮像した可視光画像とを表示する表示部を備え、
前記画像解析装置は、前記可視光画像に対して前記強調画像のうち少なくとも前記第１部分に相当する画像を重ねたオーバレイ画像を前記表示部に表示させる、
請求項１７又は請求項１８に記載の撮像システム。
【請求項２０】
前記画像解析装置は、前記Ｎ階微分係数を指標値に用いて前記組織における前記水の含有量を推定する、請求項１７から請求項１９のいずれか一項に記載の撮像システム。
【請求項２１】
互いに波長の異なる少なくとも３つの赤外光を、水を含む第１部分と脂質を含む第２部分とを含む組織に射出可能な光源部と、
前記組織を介した前記３つの赤外光を受光する光検出部と、
画像解析装置と、を備え、
前記画像解析装置は、前記光検出部から得られる試料画像をもとに、前記組織の前記３つの赤外光におけるスペクトルを示す分布データを生成する分布データ生成部と、前記分布データをもとに前記スペクトルのＮ階微分係数（Ｎは２以上の整数）を算出する微分演算部と、前記Ｎ階微分係数を階調値に変換して前記第１部分を前記第２部分より強調した画像データを生成する画像データ生成部と、を備える、撮像システム。
【請求項２２】
請求項２１に記載の撮像システムと、
前記組織に対する処理が可能な操作デバイスと、を備える手術支援システム。
【請求項２３】
コンピュータに、
水を含む第１部分と脂質を含む第２部分とを含む組織に赤外帯域の光を照射して得られる試料画像をもとに、前記組織の前記赤外帯域における光強度の分布を示す分布データを生成することと、
前記分布データをもとに、２以上の整数をＮとして前記赤外帯域の第１波長帯における前記光強度の分布のＮ階微分係数を、前記試料画像の領域ごとに算出することと、
前記Ｎ階微分係数を階調値に変換し、前記第１部分を前記第２部分より強調した画像データを生成することと、を実行させる画像解析プログラム。
【発明の詳細な説明】
【技術分野】
【０００１】
本発明は、画像解析装置、撮像システム、検出システム、手術支援システム、画像解析方法、及び画像解析プログラムに関する。
【背景技術】
【０００２】
医療などの分野において、生物の組織を撮像し、その画像を各種診断や検査、観察等に活用する技術が提案されている（例えば、下記の特許文献１参照）。特許文献１に係る装置は、例えば、赤外線を身体組織に照射し、身体組織で反射した赤外線に基づいて皮下血管の映像を取得する技術である。
【先行技術文献】
【特許文献】
【０００３】
【特許文献１】特開２００６−１０２３６０号
【発明の概要】
【発明が解決しようとする課題】
【０００４】
上述の技術には、生物の組織の情報を精度よく得ることが期待される。例えば、組織を撮像した試料画像を解析する装置には、組織のうち特定の部分を他の部分と精度よく区別できることが求められる。本発明は、上記の事情に鑑みなされたものであり、生物の組織の情報を精度よく得ることができる画像解析装置、撮像システム、検出システム、手術支援システム、画像解析方法、及び画像解析プログラムを提供することを目的とする。
【課題を解決するための手段】
【０００５】
本発明の態様に従えば、水を含む第１部分と脂質を含む第２部分とを含む組織に赤外帯域の光を照射して得られる試料画像をもとに、組織の赤外帯域における光強度の分布を示す分布データを生成する分布データ生成部と、分布データをもとに、２以上の整数をＮとして赤外帯域の第１波長帯における光強度の分布のＮ階微分係数を、試料画像の領域ごとに算出する微分演算部と、Ｎ階微分係数を階調値に変換し、第１部分を第２部分より強調した画像データを生成する画像データ生成部と、を備える画像解析装置が提供される。
本発明の態様に従えば、上記態様の画像解析装置と、組織における試料画像を取得する撮像部と、を備える撮像システムが提供される。
本発明の態様に従えば、互いに波長の異なる少なくとも３つの赤外光を、水を含む第１部分と脂質を含む第２部分とを含む組織に射出可能な光源部と、組織を介した３つの赤外光を受光する光検出部と、画像解析装置と、を備え、画像解析装置は、光検出部から得られる試料画像をもとに、組織の３つの赤外光におけるスペクトルを示す分布データを生成する分布データ生成部と、分布データをもとにスペクトルのＮ階微分係数（Ｎは２以上の整数）を算出する微分演算部と、Ｎ階微分係数を階調値に変換して第１部分を第２部分より強調した画像データを生成する画像データ生成部と、を備える、撮像システムが提供される。
本発明の態様に従えば、上記態様の撮像システムと、組織に対する処理が可能な操作デバイスと、を備える手術支援システムが提供される。
本発明の態様に従えば、コンピュータに、水を含む第１部分と脂質を含む第２部分とを含む組織に赤外帯域の光を照射して得られる試料画像をもとに、組織の赤外帯域における光強度の分布を示す分布データを生成することと、分布データをもとに、２以上の整数をＮとして赤外帯域の第１波長帯における光強度の分布のＮ階微分係数を、試料画像の領域ごとに算出することと、Ｎ階微分係数を階調値に変換し、第１部分を第２部分より強調した画像データを生成することと、を実行させる画像解析プログラムが提供される。
本発明の第１の態様に従えば、生物の組織に赤外帯域の光を照射して得られる試料画像をもとに、組織の赤外帯域における光強度の分布を示す分布データを生成する分布データ生成部と、分布データをもとに、２以上の整数をＮとして赤外帯域の第１波長帯における光強度の分布のＮ階微分係数を、試料画像の領域ごとに算出する微分演算部と、Ｎ階微分係数を階調値に変換し、画像データを生成する画像データ生成部と、を備える画像解析装置が提供される。
【０００６】
本発明の第２の態様に従えば、第１の態様の画像解析装置と、組織における試料画像を取得する撮像部と、を備える撮像システムが提供される。【０００７】
本発明の第３の態様に従えば、互いに波長の異なる少なくとも３つの赤外光を生物の組織に射出可能な光源部と、組織を介した３つの赤外光を受光する光検出部と、画像解析装置と、を備え、画像解析装置は、光検出部から得られる試料画像をもとに、組織の３つの赤外光におけるスペクトルを示す分布データを生成する分布データ生成部と、分布データをもとにスペクトルのＮ階微分係数（Ｎは２以上の整数）を算出する微分演算部と、Ｎ階微分係数を階調値に変換して画像データを生成する画像データ生成部と、を備える、撮像システムが提供される。【０００８】
本発明の第４の態様に従えば、第２の態様の撮像システムと、組織に対する処理が可能な操作デバイスと、を備える手術支援システムが提供される。【０００９】
本発明の第５の態様に従えば、生物の組織に赤外帯域の光を照射して得られる試料画像をもとに、組織の赤外帯域における光強度の分布を示す分布データを生成することと、分布データをもとに、２以上の整数をＮとして赤外帯域の第１波長帯における光強度の分布のＮ階微分係数を、試料画像の領域ごとに算出することと、Ｎ階微分係数を階調値に変換し、画像データを生成することと、を含む画像解析方法が提供される。【００１０】
本発明の第６の態様に従えば、コンピュータに、生物の組織に赤外帯域の光を照射して得られる試料画像をもとに、組織の赤外帯域における光強度の分布を示す分布データを生成することと、分布データをもとに、２以上の整数をＮとして赤外帯域の第１波長帯における光強度の分布のＮ階微分係数を、試料画像の領域ごとに算出することと、Ｎ階微分係数を階調値に変換し、画像データを生成することと、を実行させる画像解析プログラムが提供される。
本発明の第７の態様に従えば、水を含む第１部分と脂質を含む第２部分とを含むターゲットに赤外光を照射して得られる検出結果をもとに、ターゲットのスペクトルを示すスペクトルデータを生成するデータ生成部と、スペクトルデータをもとに、スペクトルのうち非線形部分を含む所定波長帯におけるスペクトルのＮ階微分係数（Ｎは２以上の整数）を、第１部分及び第２部分ごとに算出する微分演算部と、第１部分のＮ階微分係数と第２部分のＮ階微分係数とに応じて、水を含む第１部分又は脂質を含む第２部分を強調した画像データを生成する画像データ生成部と、を備える画像解析装置が提供される。
本発明の第８の態様に従えば、第７の態様の画像解析装置と、検出結果を取得する検出部と、を備える検出システムが提供される。
本発明の第９の態様に従えば、第８の態様の検出システムと、画像データを表示する表示部と、を備える手術支援システムが提供される。
本発明の第１０の態様に従えば、水を含む第１部分と脂質を含む第２部分とを含むターゲットに赤外光を照射して得られる検出結果をもとに、ターゲットのスペクトルを示すスペクトルデータを生成することと、スペクトルデータをもとに、スペクトルのうち非線形部分を含む所定波長帯におけるスペクトルのＮ階微分係数（Ｎは２以上の整数）を、第１部分及び第２部分ごとに算出することと、第１部分のＮ階微分係数と第２部分のＮ階微分係数とに応じて、水を含む第１部分又は脂質を含む第２部分を強調した画像データを生成することと、を含む画像解析方法が提供される。
本発明の第１１の態様に従えば、コンピュータに、水を含む第１部分と脂質を含む第２部分とを含むターゲットに赤外光を照射して得られる検出結果をもとに、ターゲットのスペクトルを示すスペクトルデータを生成することと、スペクトルデータをもとに、スペクトルのうち非線形部分を含む所定波長帯におけるスペクトルのＮ階微分係数（Ｎは２以上の整数）を、第１部分及び第２部分ごとに算出することと、第１部分のＮ階微分係数と第２部分のＮ階微分係数とに応じて、水を含む第１部分又は脂質を含む第２部分を強調した画像データを生成することと、を実行させる画像解析プログラムが提供される。
【発明の効果】
【００１１】
本発明によれば、生物の組織の情報を精度よく得ることができる画像解析装置、撮像システム、検出システム、手術支援システム、画像解析方法、及び画像解析プログラムを提供することができる。
【図面の簡単な説明】
【００１２】
【図１】本実施形態に係る画像解析装置を示す図である。
【図２】本実施形態に係るスペクトルおよび２階微分係数の分布を模式的に示すグラフである。
【図３】本実施形態においてＮ階微分係数の算出に用いられる式の例である。
【図４】本実施形態に係る画像解析方法を示すフローチャートである。
【図５】本実施形態において、Ｎ階微分係数の算出方法を説明するための式である。
【図６】本実施形態に係る画像解析装置を示す図である。
【図７】実施例に係る試料画像の一例を示す図である。
【図８】実施例に係るスペクトルおよび２階微分係数の分布を示す図である。
【図９】実施例に係る解析画像の例を示す図である。
【図１０】本実施形態に係る所定物質の分光スペクトルの例を示すグラフである。
【図１１】本実施形態に係る分光スペクトルに対応する２階微分係数の分布の例を示す図である。
【図１２】本実施形態に係る撮像システムを示す図である。
【図１３】本実施形態に係る撮像装置の他の構成を示す図である。
【図１４】本実施形態に係る病理診断システム４０の一例を示す図である。
【図１５】本実施形態に係る手術支援システムＳＹＳの一例を示す図である。
【図１６】本実施形態に係る手術支援システムＳＹＳの他の例を示す図である。
【発明を実施するための形態】
【００１３】
［第１実施形態］
図１は、本実施形態に係る画像解析装置１を示す図である。画像解析装置１の各部の説明に先立ち、画像解析装置１による画像処理の概要について説明する。画像解析装置１は、例えば、生物の組織ＢＴに赤外帯域の光を照射して得られる試料画像を解析して、組織ＢＴのうち所定の条件を満たす部分を検出する。所定の条件は、例えば、組成が所定物質を含む条件、組成に含まれる所定物質の量が閾値以上である条件、組成に含まれる所定物質の量が閾値以下である条件、組成が組織ＢＴの他の部分と異なる条件のうち少なくとも１条件を含む。例えば、画像解析装置１は、組織ＢＴにおける所定物質の分布を求め、所定物質の分布を示す画像データを生成する。また、画像解析装置１は、例えば、生物の組織ＢＴに赤外帯域の光を照射して得られる試料画像を解析して、組織ＢＴにおける所定物質と関連する特定部分（例、所定物質を含む部分、或いは所定物質を含まない部分）を相対的に強調して表示する。所定物質は、例えば、水、脂質、タンパク質などの生体分子、血液、及びリンパ液の少なくとも１つを含む。
【００１４】
組織ＢＴは、例えば人間の組織であるが、人間以外の生物（例、動物）の組織であってもよい。組織ＢＴは、生物から切り取った状態の組織であってもよいし、生物に付随した状態の組織であってもよい。また、組織ＢＴは、生存している生物（生体）の組織（生体組織）であってもよいし、死亡後の生物（死体）の組織であってもよい。組織ＢＴは、生物から摘出した物体であってもよい。組織ＢＴは、生物のいずれの器官を含んでいてもよく、皮膚を含んでいてもよいし、皮膚よりも内側の内臓などを含んでいてもよい。また、組織ＢＴは、分泌物と排泄物の一方または双方を含んでいてもよい。また、組織ＢＴは、光を受けて励起により光を発する物質（例、蛍光物質、りん光物質）を生物の組織に付与したものであってもよい。また、組織ＢＴは、ホルマリン等の組織固定液を用いて固定されても良い。
【００１５】
組織ＢＴにおける各部分のスペクトル（例、分光スペクトル）は、組織ＢＴの組成（成分）の光学特性（例、吸収率、透過率、反射率）に応じたカーブになる。例えば、図１の組織ＢＴは、第１部分ＢＴａおよび第２部分ＢＴｂを含み、第１部分ＢＴａと第２部分ＢＴｂとで組成が異なる場合、第１部分ＢＴａのスペクトルは、第２部分ＢＴｂのスペクトルと異なるカーブになる。画像解析装置１は、スペクトルの非線形性に基づいてカーブの違いを検出し、所定物質の分布を求める。例えば、画像解析装置１は、第１部分ＢＴａのスペクトル（第１のスペクトル）の非線形性と第２部分ＢＴｂのスペクトル（第２のスペクトル）の非線形性とに基づいて互いのスペクトルの違い（特徴）を特定し、所定物質の分布を算出する。
【００１６】
画像解析装置１は、複数の試料画像のデータを含む試料データを使って、解析を行う。試料画像は、赤外帯域の光が照射されている組織ＢＴから放射される光のうち、所定の波長帯の光（例、赤外光）を検出した画像である。組織ＢＴから放射される光は、組織ＢＴに光を照射して組織ＢＴで反射した光、組織ＢＴに光を照射して組織ＢＴを透過した光、組織ＢＴに光を照射して組織ＢＴから発光される光（例、蛍光、りん光など）の少なくとも一つを含む。
【００１７】
試料画像は、例えば、ハイパースペクトルカメラなどの撮像装置２によって取得可能である。例えば、ハイパースペクトルカメラを有する撮像装置２は、画像の１画素において複数のスペクトルデータを１回の撮影で取得できるセンサーを含む。組織ＢＴにおける各部分（例、第１部分ＢＴａ、第２部分ＢＴｂなど）のスペクトルは波長に対する光強度の分布であり、光強度は試料画像の画素値から得られる。
【００１８】
画像解析装置１は、試料データから得られるスペクトルの少なくとも一部（例、複数の波長、特定の波長帯）に対して、２以上の整数ＮとしてＮ階微分係数を算出する。例えば、第１波長帯におけるＮ階微分係数（Ｎは２以上の整数）は、第１波長帯におけるスペクトルのカーブの形状を表す指標値に利用できる。例えば、スペクトルの一部を２次の多項式で近似した場合（Ｎ＝２の場合）、スペクトルのうち相対的に線形性が強い部分において、多項式の２階微分係数は、０に近い値となる。一方、スペクトルのうち相対的に非線形性が強い部分において、多項式の２階微分係数は、第１波長帯におけるスペクトルのカーブの形状に応じてその絶対値が大きくなる。
【００１９】
図２は、試料データから得られるスペクトルおよび２階微分係数の分布を模式的に示すグラフである。図２において、横軸は波長を示し、第１縦軸は光強度を示し、第２縦軸は２階微分係数を示す。横軸の単位、第１縦軸の単位、第２縦軸の単位は、それぞれ、任意単位（arbitrary unit、以下、a. u. と記す）である。図２において、スペクトルＳａは、例えば図１の第１部分ＢＴａのスペクトルであり、スペクトルＳｂは、例えば図１の第２部分ＢＴｂのスペクトルである。また、分布ＤａはスペクトルＳａの２階微分係数の分布を示し、分布ＤｂはスペクトルＳｂの２階微分係数の分布を示す。
【００２０】
図２のスペクトルＳａは、例えば、波長が１１０から１５０の波長帯Ａ１で下に凸のカーブになっている。また、波長が１１０から１３０の波長帯Ａ２は、スペクトルＳａが極小値を持つ波長帯であり、波長帯Ａ２ではスペクトルＳａの２階微分係数が相対的に大きくなる。例えば、組織ＢＴの各部分の波長帯Ａ２におけるスペクトルＳａの２階微分係数を算出すると、組成が第１部分ＢＴａと類似している部分ではスペクトルＳａの２階微分係数が大きくなる。例えば、第１部分ＢＴａが所定物質を含み、組織ＢＴの他の部分のうち所定物質を含む部分では、スペクトルＳａの２階微分係数が大きくなる。
【００２１】
また、例えば、図１において、組織ＢＴの第１部分ＢＴａは所定物質の含有量が所定値以上であり、組織ＢＴの第２部分ＢＴｂは所定物質の含有量が所定値未満であるとする。画像解析装置１は、例えば、第１波長帯の赤外光を組織ＢＴに照射して得られたスペクトルをＮ階微分処理して算出したＮ階微分係数に基づき、組織ＢＴのうち第１部分ＢＴａを階調化して強調した画像を生成する。例えば、画像解析装置１は、第１波長帯の赤外光を第１部分ＢＴａ及び第２部分ＢＴｂに照射して得られた複数のスペクトル（この場合、スペクトルＳａ及びスペクトルＳｂ）をそれぞれＮ階微分処理して算出した複数のＮ階微分係数（この場合、１波長につき２つのＮ階微分係数）に基づき、組織ＢＴのうち第１部分ＢＴａを第２部分ＢＴｂよりも強調した画像を生成する。画像解析装置１は、例えば、第１部分ＢＴａを検出して、検出した第１部分ＢＴａを第２部分ＢＴｂよりも強調した画像のデータを生成する。また、画像解析装置１は、第２部分ＢＴｂを検出して、検出した第２部分ＢＴｂを第１部分ＢＴａよりも強調した画像のデータを生成してもよい。このように、画像解析装置１は、スペクトルから得られたＮ階微分係数（例、２階微分係数）を用いて、組織ＢＴのうち、所定物質を含む条件を満たす部分、あるいは所定物質の含有量が閾値以上である条件を満たす部分を検出できる。また、画像解析装置１は、例えば、２階微分係数を指標値に用いて、組織ＢＴの各部における所定物質の含有量を推定できる。
【００２２】
図２の波長帯Ａ２において、スペクトルＳｂは下に凸のカーブになっているが、そのカーブはスペクトルＳａと比べて緩やかである。そのため、波長帯Ａ２において、スペクトルＳｂの２階微分係数は、スペクトルＳａの２階微分係数よりも小さくなる。例えば、波長帯Ａ２において、第１部分ＢＴａに対して組成の類似性が低い組織ＢＴの部分ではスペクトルＳａの２階微分係数と比較して２階微分係数が小さくなる。
【００２３】
画像解析装置１は、例えば、組織ＢＴの一部分と他の部分との類似性を示す指標値を算出し、この指標値の分布を示す画像のデータ、又はこの指標値の分布に基づき組織ＢＴの一部分と他の部分を強調した画像のデータを生成できる。例えば、ユーザによって試料画像上の組織ＢＴの第１部分ＢＴａが指定された場合、画像解析装置１は第１部分ＢＴａと組成が類似する条件を満たす組織ＢＴの部分を検出して抽出できる。例えば、画像解析装置１は、第１部分ＢＴａのスペクトルの少なくとも一部を教師データとして、他の部分との類似性を示す指標値を算出できる。例えば、画像解析装置１は、所定の波長帯における第１部分ＢＴａのスペクトルの２階微分係数と、所定の波長帯における他の部分のスペクトルの２階微分係数とを比較して、第１部分ＢＴａと他の部分との類似性を示す指標値を算出できる。
【００２４】
なお、図２において、分布Ｄｃは、二値化した２階微分係数の分布を示す。この分布Ｄｃは、例えば、スペクトルをもとに算出される各波長における２階微分係数が閾値未満である場合に０となり、各波長における２階微分係数が閾値以上である場合に所定値となる分布である。２階微分係数を二値化すると、例えば、スペクトルのうち相対的に非線形性が高い波長帯を検出できる。例えば、スペクトルから得られたＮ階微分係数を二値化すると、該スペクトルにおいて線形性の波長帯（線形領域）と非線形性の波長帯（非線形領域）とのうち非線形性の波長帯を特定することができる。
【００２５】
なお、上述の説明においてはＮが２であることにしたが、Ｎが３、４、５、又は６以上であってもよい。Ｎが３以上の場合にも、例えば、スペクトルのうち相対的に非線形性が強い部分において、スペクトルの形状を評価できる。
【００２６】
図１の説明に戻り、画像解析装置１の各部について説明する。本実施形態に係る画像解析装置１は、分布データ生成部３、微分演算部４、画像データ生成部５、条件設定部６、ワークメモリ７、及び記憶部８を備える。
【００２７】
ワークメモリ７は、例えば揮発性メモリを含み、画像解析装置１の各部が行う処理において、一時記憶域として使われる。記憶部８は、例えば不揮発性メモリあるいは大規模記憶域を含み、画像解析装置１の各部が行う処理の設定情報、画像解析装置１の各部による処理結果などを記憶する。画像解析装置１は、例えば、液晶ディスプレイなどの表示装置９に接続され、記憶部８に記憶されている情報を示す画像のデータやテキストのデータを表示装置９に出力する。
【００２８】
条件設定部６は、画像解析装置１の解析条件の設定を行う。解析条件は、例えば、Ｎ階微分係数を算出する対象の波長帯を含む。以下の説明において、Ｎ階微分係数を算出する対象の波長帯を、適宜、解析波長帯という。解析波長帯は、例えば、赤外帯域の波長に対する光強度の分布（スペクトル）のうち非線形部分（非線形領域）を含む波長帯（例、図２の波長帯Ａ１、波長帯Ａ２）に設定される。非線形部分を含む波長帯は、例えば、２階微分係数が０以外の値を取る波長を含む。解析波長帯は、例えば、赤外帯域の波長に対する光強度の分布の極大値又は極小値を有する極値を含む波長帯に設定される。
【００２９】
なお、解析波長帯は、波長に対する光強度の分布の極大値と極小値とのいずれも含まない波長帯に設定されていてもよい。例えば、光強度の分布が極値をとる波長の近傍では、光強度の分布の非線形性が強く、その２階微分係数は、光強度の分布の非線形性に応じた値をとる。また、例えば、スペクトル（例、上記したスペクトルＳａ、スペクトルＳｂなど）の極大値又は極小値を含む波長帯は非線形性が強いため、その波長帯におけるスペクトルのＮ階微分係数はその非線形性に基づいた値をとる。
【００３０】
なお、波長に対する光強度の分布が離散データで与えられる場合、その分布の極大値は、例えば、離散データを連続関数に変換した際の極大値としてもよい。また、極小値についても極大値と同様である。この連続関数は、例えば、最小二乗法などの各種近似法で求められる。この連続関数は、例えば、２階微分可能な関数形から選択され、多項式関数であってもよいし、三角関数であってもよく、スプライン関数であってもよい。
【００３１】
また、解析波長帯は、組織ＢＴに含まれる所定物質のスペクトルに基づいて選択される。例えば、解析波長帯は、所定物質のスペクトルにおいて、スペクトルの非線形部分を含む波長帯に設定されてもよい。例えば、解析波長帯は、所定物質の分光スペクトルにおいて、極大値又は極小値を有する極値を含む波長帯に設定されてもよい。
【００３２】
また、解析条件は、例えば、試料画像のうち解析の対象とする領域の条件を含む。以下の説明において、解析の対象とする領域を、適宜、解析領域という。解析領域は、例えば、試料画像の全域（全画素）であってもよいし、試料画像のうち組織ＢＴが移っている領域（複数の画素）の全域または一部の領域であってもよい。また、例えば、解析領域が複数の部分領域を含み、部分領域ごとに解析する場合、解析領域の条件は、部分領域のサイズを含む。部分領域のサイズは、例えば１画素でもよいし、複数の画素でもよいし、３列３行の９画素でもよく、部分領域に含まれる画素の数は任意に設定できる。また、複数の部分領域は、解析領域を重複なく分割した領域であってもよいし、一部が重複する領域であってもよい。
【００３３】
解析条件の設定情報は、例えば、デフォルトの設定が記憶部８に記憶されている。画像解析装置１は、例えば、マウス、キーボード、タッチパネル、トラックボールなどの入力装置１０に接続され、記憶部８に記憶されている各種設定情報を、入力装置１０を介して入力される情報に更新できる。
【００３４】
図１の分布データ生成部３は、撮像された試料画像をもとに、組織ＢＴの赤外帯域における光強度の分布を示す分布データを生成する。この分布データは、Ｎ階微分係数の算出に使われるデータである。分布データ生成部３は、Ｎ＋１以上の整数Ｍとして解析波長帯のＭ個の波長のそれぞれに対応する光強度を、試料データから抽出する。以下の説明において、波長λに対する光強度をＩ（λ）で表す。
【００３５】
分布データ生成部３は、解析波長帯の少なくとも３波長を用いて分布データを生成する。分布データ生成部３は、例えば、Ｎが２、Ｍが３である場合、波長λ１の光を検出した第１の試料画像の画素値からＩ（λ１）を取得し、波長λ２の光を検出した第２の試料画像の画素値からＩ（λ２）を取得し、波長λ３の光を検出した第３の試料画像の画素値からＩ（λ３）を取得する。波長λ１、波長λ２、及び波長λ３は、それぞれ、解析波長帯から選択される。
【００３６】
分布データ生成部３は、例えば、各波長と、波長と対になる光強度とを一組のデータとしてＮ組のデータを含む離散データを、分布データとして生成する。例えば、分布データ生成部３は、波長λ１と光強度Ｉ（λ１）の組（λ１，Ｉ（λ１））、波長λ２と光強度Ｉ（λ２）の組（λ２，Ｉ（λ２））、及び波長λ３と光強度Ｉ（λ３）の組（λ３，Ｉ（λ３））を含む分布データを生成する。
【００３７】
なお、Ｎの値は、例えば、解析条件に含まれる。Ｎの値はデフォルトで２に設定されるが、Ｎの値は３以上の整数に変更可能である。また、Ｍの値は、例えば解析条件に含まれ、Ｎが２の場合、デフォルトで３に設定されるが、４以上の整数に変更可能である。
【００３８】
なお、分布データ生成部３は、例えば図２のように、３波長以上の波長を含む波長帯（例、第１波長帯）の分布データを生成することもできる。分布データ生成部３は、試料データに含まれる複数の試料画像に対応する波長帯域のうち、任意の波長帯（例、第１波長帯）の分布データを生成できる。例えば、分布データ生成部３は、所定の波長帯域にわたって試料データが与えられる場合、この波長帯域の全域の分布データを生成することができ、また一部の波長帯の分布データを生成することもできる。分布データ生成部３により生成する分布データの波長帯を規定する分布データの設定情報は、例えば、解析条件に含まれ、記憶部８に記憶されている。
【００３９】
分布データ生成部３は、例えば、Ｎ階微分係数の算出に使われる波長帯の部分だけの、分布データを生成してもよい。また、分布データ生成部３は、Ｎ階微分係数の算出に使われる波長帯を含んだ波長帯よりも広い波長帯を用いて、分布データを生成してもよい。例えば、光強度の分布のデータが存在する波長帯域の全域にわたる分布データを生成しておき、出力すべき分布データの波長帯が指定された場合に、全域にわたる分布データのうち指定された波長帯の分布データを抽出して出力してもよい。
【００４０】
本実施形態において、分布データ生成部３は、解析領域に含まれる複数の部分領域に対して、部分領域ごとに分布データを生成する。部分領域は、例えば、試料画像における複数の画素を含む。分布データ生成部は、波長λ１に対応する光強度Ｉ（λ１）を取得する際に、例えば、部分領域に含まれる複数の画素のそれぞれの画素値を試料データから取得し、取得した画素値の平均値を部分領域における光強度Ｉ（λ１）とする。分布データ生成部は、光強度Ｉ（λ１）と同様に、複数の画素の画素値の平均値を光強度Ｉ（λ２）、光強度Ｉ（λ３）とする。分布データ生成部３は、複数の画素の画素値の平均値から得られる光強度Ｉ（λ１）、光強度Ｉ（λ２）、及び光強度Ｉ（λ３）により、部分領域の分布データを生成し、他の部分領域についても同様に分布データを生成する。なお、部分領域に含まれる画素の数は、１つであってもよいし、２以上であってもよい。
【００４１】
また、図１の微分演算部４は、分布データ生成部３が生成した分布データをもとに、解析波長帯における光強度の分布のＮ階微分係数を、試料画像の領域（以下、単位領域という）ごとに算出する。この単位領域は、例えば、分布データ生成部３が分布データを生成する際の部分領域（例、１画素又は複数の画素）と同じ領域に設定される。例えば、分布データ生成部３は、生成した分布データを記憶部８に記憶させ、微分演算部４は、記憶部８から分布データを読み出して単位領域におけるＮ階微分係数を算出する。なお、単位領域は、分布データ生成部３が分布データを生成する際の部分領域と異なっていてもよい。例えば、単位領域は、連続する複数の部分領域にわたっていてもよい。
【００４２】
微分演算部４は、例えば、分布データが離散データを含む場合、差分形式でＮ階微分係数を算出する。図３は、Ｎ階微分係数の算出に用いられる式の例である。図３の式（１）は、波長λｎにおける１階微分係数ｄ１（λｎ）を前進差分で表した式である。図３の式（２）は、波長λｎにおける２階微分係数ｄ２（λｎ）を前進差分で表した式である。
【００４３】
微分演算部４は、分布データのうち、波長λ１と光強度Ｉ（λ１）の組および波長λ２と光強度Ｉ（λ２）の組を使って、式（１）に従ってｄ１（λ１）を算出する。また、微分演算部４は、分布データのうち、波長λ２と光強度Ｉ（λ２）の組および波長λ３と光強度Ｉ（λ３）の組を使って、式（１）に従ってｄ１（λ２）を算出する。また、微分演算部４は、算出したｄ１（λ１）およびｄ１（λ２）を使って、式（２）に従ってλ１における２階微分係数ｄ２（λ１）を算出する。
【００４４】
なお、上記の説明では、式（１）の演算と式（２）の演算を別に行うこととしたが、式（２）の右辺のｄ１（λｎ＋１）およびｄ１（λｎ）に、式（１）を組み込んでおき、１つの式で２階微分係数を算出してもよい。また、１次微分係数の算出は、式（３）に示す中心差分、式（４）に示す後退差分のいずれを用いてもよい。また、２次微分係数の算出に、式（５）に示す中心差分、式（６）に示す後退差分のいずれを用いてもよい。また、２次微分係数の算出に用いる差分法は、１次微分係数の算出に用いる差分法と同じであってもよいし、異なっていてもよい。例えば、１次微分係数の算出と２次微分係数の算出とは、それぞれに前進差分を用いてもよい。１次微分係数の算出は前進差分を用い、２次微分係数の算出は中心差分を用いてもよい。
【００４５】
なお、微分演算部４は、例えば図２のように、分布データ生成部３が生成した分布データの波長帯域の範囲内において、任意の波長におけるＮ階微分係数を算出できる。例えば、微分演算部４は、分布データが存在する波長帯域の複数の波長のそれぞれにおけるＮ階微分係数を算出できる。例えば、分布データが所定の波長帯域にわたって生成される場合、微分演算部４は、この波長帯域の１波長のみにおいてＮ階微分係数を算出してもよいし、２以上の波長のそれぞれにおいてＮ階微分係数を算出してもよい。
【００４６】
微分演算部４は、例えば、設定情報に規定された解析波長帯以外の波長帯におけるＮ階微分係数を算出しなくてもよい。また、微分演算部４は、例えば、解析波長帯が指定される前に、分布データが存在する波長帯域全域の各波長におけるＮ階微分係数を予め算出してもよい。この場合、微分演算部４は、解析波長帯が指定された際に、予め算出しておいた波長帯域全域の各波長におけるＮ階微分係数のうち、指定された解析波長帯のＮ階微分係数を抽出して出力してもよい。
【００４７】
微分演算部４は、上述のように試料画像の領域ごと（例、１画素ごと、複数の画素ごと）にＮ階微分係数を算出し、例えば、算出したＮ階微分係数と領域の位置情報とを関連付けて、記憶部８に記憶させる。
【００４８】
画像データ生成部５は、Ｎ階微分係数を階調値に変換し、画像データを生成する。例えば、画像データ生成部５は、Ｎ階微分係数と階調値とがほぼ線形の関係になるように、Ｎ階微分係数を使って階調値を算出する。画像データ生成部５は、例えば、Ｎ階微分係数の絶対値に換算係数を乗算して階調値を算出する。換算係数は、例えば、Ｎ階微分係数の絶対値と換算係数との乗算値が、画素値の上限値を超えないように設定されていてもよい。なお、画像データ生成部５は、Ｎ階微分係数の絶対値と換算係数との乗算値が、画素値の上限値を超える場合、このＮ階微分係数を画素値の上限値に変換してもよい。
【００４９】
解析波長帯のＮ階微分係数が大きい部分は、例えば、組織ＢＴのうち所定の条件（例、所定物質の含有率が高い）を満たす部分である。そのため、画像データ生成部５により生成される画像データが表す画像（以下、解析画像という）は、例えば、組織ＢＴ中の所定物質の含有率が高い部分を強調した画像になる。例えば、解析画像において、組織ＢＴのうち所定物質の含有率が高い部分は、階調値が高い明部で表され、組織ＢＴのうち所定物質の含有率が低い部分は、階調値が低い暗部で表される。
【００５０】
なお、画像データ生成部５は、生成する画像データの画素値の上限値（例、８ビットの場合２５５）から、Ｎ階微分係数の絶対値と換算係数との乗算値を差し引いた値を階調値にしてもよい。この場合、解析画像において、組織ＢＴのうち所定物質の含有率が高い部分を暗部で表し、組織ＢＴのうち所定物質の含有率が低い部分を明部で表すことができる。
【００５１】
画像データ生成部５は、Ｎ階微分係数の絶対値に換算係数を乗算した乗算値が整数でない場合、四捨五入などの丸めを行って整数の階調値を算出してもよい。また、画像データ生成部５は、Ｎ階微分係数の絶対値と階調値とが非線形な関係になるように、階調値を算出してもよい。画像データ生成部５は、Ｎ階微分係数を二値化（２階調化）して、画像データを生成してもよい。例えば、画像データ生成部５は、解析画像において、解析波長帯におけるＮ階微分係数が閾値以上である画素の画素値を上限値（例、８ビットの場合２５５）とし、解析波長帯におけるＮ階微分係数が閾値未満である画素の画素値を下限値（例、８ビットの場合０）としてもよい。
【００５２】
画像データ生成部５は、算出されたＮ階微分係数を指標値として、組織ＢＴのうち所定の条件（例、所定物質の含有率が閾値よりも高い条件）を満たす部分を抽出した抽出画像のデータを生成してもよい。例えば、画像データ生成部５は、抽出画像を試料画像に重ねたオーバーレイ画像のデータを生成してもよい。画像データ生成部５は、抽出画像と試料画像とを区別できるように、オーバーレイ画像のデータを生成してもよい。例えば、画像データ生成部５は、抽出画像を試料画像と異なる色で表すオーバーレイ画像のデータを生成してもよい。例えば、試料画像がグレースケールで表される場合、画像データ生成部５は、抽出画像をグレースケール以外の色（例、赤、緑、青）を含む色で表すように、オーバーレイ画像のデータを生成してもよい。また、画像データ生成部５は、例えば、組織ＢＴのカラー画像と抽出画像とを重ねたオーバーレイ画像のデータを生成してもよい。また、画像データ生成部５は、オーバーレイ画像上で抽出画像が点滅するように、画像データを生成してもよい。
【００５３】
画像データ生成部５は、微分演算部４が算出したＮ階微分係数が存在する波長帯において、この波長帯の任意の波長におけるＮ階微分係数に基づく解析画像のデータを生成してもよい。例えば、画像解析装置１は、ユーザが指定する波長におけるＮ階微分係数を使って、随時、解析画像のデータを生成し、この解析画像を表示装置９に表示させてもよい。例えば、ユーザは、解析波長帯を切り替えながら解析画像を確認し、所望の解析画像が得られる解析波長帯を指定することもできる。
【００５４】
次に、上述のような画像解析装置１の動作に基づき、本実施形態に係る画像解析方法について説明する。図４は、本実施形態に係る画像解析方法を示すフローチャートである。画像解析装置１は、ステップＳ１において、解析条件を設定する。例えば、画像解析装置１は、記憶部８に記憶されているデフォルトの解析条件を示す画像を、表示装置９に表示させる。また、画像解析装置１は、入力装置１０に対する操作を監視し、ユーザから解析条件の変更などの入力（入力信号）を受け付ける。画像解析装置１は、入力装置１０に解析条件の変更などの入力がなされたことを検出した場合に、記憶部８に記憶されている解析条件を更新する。
【００５５】
次のステップＳ２において、分布データ生成部３は、分布データを生成する。ステップＳ２に先立ち、又はステップＳ２において、画像解析装置１は、組織ＢＴの試料データを取得する。例えば、画像解析装置１は、試料画像を撮像する撮像装置２と通信可能に接続され、撮像装置２から組織ＢＴの試料データを受信する。例えば、撮像装置２は撮像処理を繰り返し行い、画像解析装置１は、撮像処理ごとに、または複数回数の撮像処理ごとに試料データの一部または全部を受信してもよい。また、試料データは、予め撮像された試料画像をもとにしたデータであってもよく、記録媒体などに記録されていてもよい。画像解析装置１は、この記録媒体から試料データを読み出してもよい。
【００５６】
分布データ生成部３は、例えば、記憶部８に記憶されている解析条件に従って、分布データを生成する。分布データ生成部３は、例えば、試料画像のうち解析領域の設定情報、及び分布データの設定情報を記憶部８から読み出す。分布データの設定情報に規定された波長帯が、波長λ１、波長λ２、波長λ３・・・波長λｎを含む場合、分布データ生成部３は、各波長における解析領域の光強度を順に算出する。分布データ生成部３は、例えば、波長λ１を用いて検出した第１の試料画像のデータから、解析領域の設定情報に規定された第１の部分領域に含まれる複数の画素の画素値を読み出す。分布データ生成部３は、これら複数の画素の画素値の平均値を算出し、算出した平均値を、波長λ１における第１の部分領域の光強度Ｉ（λ１）とする。分布データ生成部３は、波長λ２、波長λ３、・・・波長λｎについても同様にして、各波長における第１の部分領域の光強度を算出する。分布データ生成部３は、波長と算出した光強度とを関連付けて、記憶部８に記憶させる。また、分布データ生成部３は、解析領域の設定情報に規定された第２の部分領域についても、第１の部分領域と同様に、波長λ１、波長λ２、波長λ３・・・波長λｎの各波長の光強度を算出し、波長と算出した光強度とを関連付けて、記憶部８に記憶させる。このように、分布データ生成部３は、解析領域の部分領域ごとに分布データを生成する処理を繰り返して、設定情報に規定された解析領域の全域について、分布データを生成する。
【００５７】
次のステップＳ３において、微分演算部４は、２階微分係数を算出する。微分演算部４は、例えば、記憶部８に記憶されている解析条件に従って、分布データを生成する。微分演算部４は、例えば、解析領域を規定した設定情報、解析条件のうちＮ（例、２、又は３以上）を規定した設定情報、及び解析波長帯を規定した設定情報を、記憶部８から読み出す。
【００５８】
微分演算部４は、解析領域のうち部分領域ごとにＮ階微分係数（図４の場合、２階微分係数）を算出する。微分演算部４は、例えば、分布データ生成部３が生成した分布データのうち、第１の部分領域のデータを、記憶部８から読み出す。微分演算部４は、分布データのうち、設定情報に規定された解析波長帯を含む波長帯の光強度を使って、例えば図３の式（１）、式（２）に従って、２階微分係数を算出する。例えば、設定情報に規定された解析波長帯が波長λ１、波長λ２、波長λ３、・・・、波長λｎを含む場合、各波長における２階微分係数を順に算出する。微分演算部４は、例えば、第１の部分領域について、各波長と算出した２階微分係数を関連付けて記憶部８に記憶させる。
【００５９】
また、微分演算部４は、解析領域の第２の部分領域についても同様に、解析波長帯の各波長におけるＮ階微分係数（図４の場合、２階微分係数）を算出し、各波長と算出した２階微分係数を関連付けて記憶部８に記憶させる。微分演算部４は、例えば、部分領域ごとに解析波長帯の各波長における２階微分係数を算出する処理を繰り返し、設定情報に規定された解析領域に含まれる複数の部分領域のそれぞれについて、２階微分係数を算出する。
【００６０】
次のステップＳ４において、画像データ生成部５は、微分演算部４が算出したＮ階微分係数（図４の場合、２階微分係数）をもとに解析画像のデータを生成する。画像解析装置１は、例えば、画像データ生成部５が生成した解析画像のデータを記憶部８に記憶させておき、ユーザの指令に応じて表示装置９に出力する。
【００６１】
本実施形態においては、組織ＢＴの赤外帯域における光強度の分布を示す分布データを生成し、分布データをもとに光強度の分布のＮ階微分係数を試料画像の領域ごとに算出し、Ｎ階微分係数を階調値に変換して画像データを生成する。そのため、生物の組織ＢＴの組成を精度よく分析できる。また、本実施形態における画像解析装置１は、生物の組織ＢＴの情報を精度よく得ることができる。
【００６２】
［第２実施形態］
次に、第２実施形態について説明する。本実施形態において、分布データ生成部３は、解析波長帯を含む波長帯における光強度の分布を表す連続関数を算出する。また、微分演算部４は、この連続関数を使ってＮ階微分係数を算出する。
【００６３】
分布データ生成部３は、例えば、解析波長帯を含む波長帯における光強度の分布を表す連続関数を算出し、この連続関数を表すパラメータを分布データとして生成する。例えば、波長λ１と光強度Ｉ（λ１）との組、波長λ２と光強度Ｉ（λ２）との組、及び波長λ３と光強度Ｉ（λ３）との組を使うと、λを変数とする光強度Ｉ（λ）の２次関数が１つ定まる。分布データ生成部３は、例えば、この２次関数の各項の係数の組を分布データとして生成する。なお、分布データ生成部３は、この２次関数の係数のうち少なくとも２次の項の係数を含む分布データを生成してもよい。
【００６４】
なお、分布データ生成部３は、波長と光強度との組をＮ＋１組以上使って、Ｎ次の多項式関数を上記の連続関数として算出してもよい。例えば、分布データ生成部３は、波長と光強度との組を４組使って、３次の多項式関数を連続関数として算出してもよい。この場合、分布データ生成部３は、３次の多項式関数の少なくとも２次以上の項の係数の組を分布データとして生成してもよい。
【００６５】
また、分布データ生成部３は、解析波長帯を含む波長帯における光強度の分布の近似式を上記の連続関数として算出してもよい。例えば、分布データ生成部３は、波長と光強度との組を４組使って、最小二乗法などの各種近似法により２次関数の近似式を算出し、この２次関数の係数のうち少なくとも２次の項の係数を含む分布データを生成してもよい。近似式を用いると、例えば、ノイズの影響を減らすことができる。なお、近似式は３次以上であってもよい。また、Ｎ次関数の近似式の算出に用いる波長と光強度との組は、Ｎ＋１以上の任意の数に設定できる。
【００６６】
微分演算部４は、例えば、分布データ生成部３が算出した連続関数の係数を使ってＮ階微分係数を算出する。図５は、本実施形態に係る微分演算部４によりＮ階微分係数を算出する方法の一例を説明するための式である。Ｎ次の多項式は、図５の式（７）により表される。式（７）において、Ｃｉは、０以上Ｎ以下の整数ｉとしてｉ次の項の係数である。Ｃｉは、分布データ生成部３が生成する分布データに含まれるデータである。また、波長λｎにおける２階微分係数は、図５の式（８）により表される。微分演算部４は、分布データに含まれるＣｉを使って、例えば式（８）に従って２階微分係数を算出する。
【００６７】
この場合、例えば、解析波長帯における光強度の分布を近似した二次関数を２階微分すると、二次の項の係数が残る。そのため、極大値および極小値をいずれも含まない波長帯に解析波長帯が設定される場合であっても、極大値または極小値を含む波長帯において２階微分係数を求める場合と同等の結果が得られる。
【００６８】
［第３実施形態］
次に、第３実施形態について説明する。図６は、本実施形態に係る画像解析装置１を示す図である。この画像解析装置１は、上記した構成に加えて、抽出部１１を備える。本実施形態において、微分演算部４は複数の波長のそれぞれに対してＮ階微分係数を算出し、抽出部１１は、微分演算部４の算出結果を使って、Ｎ階微分係数の絶対値が閾値以上である波長帯（例、第１波長帯）を抽出する。この閾値を規定する抽出設定情報は、例えば解析条件に含まれ、記憶部８に記憶されている。
【００６９】
抽出部１１は、例えば、記憶部８から抽出設定情報を読み出す。また、微分演算部４がＮ階微分係数を算出する波長帯に波長λ１、波長λ２、波長λ３、・・・、波長λｎが含まれる場合、抽出部１１は、例えば、波長λ１におけるＮ階微分係数を読み出し、このＮ階微分係数と閾値とを比較する。抽出部１１は、波長λ１におけるＮ階微分係数が閾値以上である場合、波長λ１を例えばワークメモリ７に記憶させる。また、抽出部１１は、波長λ２、波長λ３、・・・、波長λｎの各波長について、Ｎ階微分係数を順に読み出し、Ｎ階微分係数が閾値以上である場合にその波長をワークメモリ７に記憶させる。抽出部１１は、波長λｎまで比較処理が終了した後、ワークメモリ７に記憶されている波長を、１セットの抽出データとして記憶部８に記憶させる。
【００７０】
画像解析装置１は、例えば、抽出部１１が抽出した各波長におけるＮ階微分係数を第１の所定値に置換し、波長λ１、波長λ２、波長λ３、・・・、波長λｎのうち抽出部１１に抽出されなかった波長におけるＮ階微分係数を第２の所定値に置換してもよい。これにより、例えば、図２に示した分布Ｄｃのように、Ｎ階微分係数を第１の所定値または第２の所定値に二値化したデータが得られる。
【００７１】
なお、上述の各実施形態において、画像解析装置１は、上記のＮ階微分係数に加えて、１階微分係数を使って画像解析を行ってもよい。画像解析装置１は、例えば、Ｎ階微分係数および１階微分係数を使って、光強度の分布において極値となる波長を検出する検出部を備えていてもよい。画像解析装置１は、例えば、この検出部が検出した波長の情報を解析波長帯の設定に利用してもよい。例えば、画像解析装置１は、この検出部が検出した波長の情報を、解析波長帯の候補として表示装置９に表示させてもよい。また、上記の各実施形態において、画像解析装置１の分布データ生成部３は、上記の分布データを生成する前および上記のＮ階微分係数を算出する前に、前処理として、上記のスペクトルの極値を特定するためにスペクトルをＬ階微分（Ｌは０を含む１以上の整数）したデータを分布データとして出力しても良い。また、分布データ生成部３は、上述の前処理として、上記のスペクトルを移動平均法による平滑化処理しても良い。このように、分布データ生成部３は、上記した前処理を行うことによって、スペクトルを近似曲線にしてから分布データを生成してもよい。こうした前処理によって、画像解析装置１は、スペクトルに含まれるノイズの影響を低減した画像を生成することができ試料画像を高精度に解析することができる。
【００７２】
［実施例］
次に、実施例について説明する。図７は、実施例に係る試料画像の一例を示す図である。図７の試料画像に写っている組織ＢＴは、腸間膜を含む。組織ＢＴの部分ＢＴｃは、部分ＢＴｄと比較して、水分の占める比率が多い部分である。部分ＢＴｄは、部分ＢＴｃと比較して、脂質の占める割合が多い部分である。部分ＢＴｃは、例えばリンパ節を含む部分であり、部分ＢＴｄは皮や脂肪を含む部分である。
【００７３】
図８は、実施例に係るスペクトルおよび２階微分係数の分布を示す図である。図８において、スペクトルＳｃは、部分ＢＴｃのスペクトルを示し、スペクトルＳｄは部分ＢＴｄのスペクトルを示す。また、分布Ｄｄは、スペクトルＳｃの２階微分係数の分布を示し、分布Ｄｅは、スペクトルＳｄの２階微分係数の分布を示す。図８において、横軸は波長λ（ｎｍ）であり、第１縦軸は光強度Ｉ、第２縦軸は２階微分係数である。光強度Ｉ、２階微分係数の単位は、任意単位（a. u. ）である。
【００７４】
スペクトルＳｃは、波長が９００ｎｍ以上１１００ｎｍ以下の波長帯、１１００ｎｍ以上１３００ｎｍ以下の波長帯、１５００ｎｍ以上１７００ｎｍ以下の波長帯、１６００ｎｍ以上１８００ｎｍ以下の波長帯のそれぞれに極大値又は極小値を有する。スペクトルＳｃは、１３００ｎｍ以上１５００ｎｍ以下の波長帯に極小値を有する。また、２階微分係数の分布Ｄｄにおいて、スペクトルＳｃが極大値をとる波長の付近、及びスペクトルＳｃが極小値をとる波長の付近では、２階微分係数の絶対値が大きくなっている。また、２階微分係数の分布Ｄｄによれば、スペクトルＳｃが極大値又は極小値の波長を含む波長帯において、２階微分係数は相対的に大きい値となっている。
【００７５】
スペクトルＳｄは、波長が９００ｎｍ以上１１００ｎｍ以下の波長帯、１１００ｎｍ以上１３００ｎｍ以下の波長帯、１８００ｎｍ以上２０００ｎｍ以下の波長帯のそれぞれに極大値又は極小値を有する。スペクトルＳｄは、１３００ｎｍ以上１５００ｎｍ以下の波長帯のそれぞれに極小値を有する。また、２階微分係数の分布Ｄｅにおいて、スペクトルＳｄが極大値をとる波長の付近、及びスペクトルＳｄが極小値をとる波長の付近では、２階微分係数の絶対値が大きくなっている。また、２階微分係数の分布Ｄｅによれば、スペクトルＳｄが極大値又は極小値の波長を含む波長帯において、２階微分係数は相対的に大きい値となっている。
【００７６】
本実施例の図８においては、９００ｎｍ以上１１００ｎｍ以下の波長帯、１１００ｎｍ以上１３００ｎｍ以下の波長帯、１１５０ｎｍ以上１２５０ｎｍ以下の波長帯、１３００ｎｍ以上１５００ｎｍ以下の波長帯、１３５０ｎｍ以上１４５０ｎｍ以下の波長帯、１５００ｎｍ以上１７００ｎｍ以下の波長帯、１６００ｎｍ以上１８００ｎｍ以下の波長帯、１８００ｎｍ以上２０００ｎｍ以下の波長帯は、スペクトルＳｃの２階微分係数とスペクトルＳｄの２階微分係数との差が顕著になる波長をそれぞれ含む。本実施例では、例えば、この波長帯から選択される波長を解析波長帯に設定する。本実施例においては、例えば、脂質の比率が多い部分ＢＴｄのスペクトルＳｄの２階微分係数が、水分の比率が多い部分ＢＴｃのスペクトルＳｃの２階微分係数よりも大きくなる波長を、解析波長帯に設定する。例えば、解析波長帯は、９００ｎｍ以上１１００ｎｍ以下の波長帯、１１００ｎｍ以上１３００ｎｍ以下の波長帯、１１５０ｎｍ以上１２５０ｎｍ以下の波長帯、１３００ｎｍ以上１５００ｎｍ以下の波長帯、１３５０ｎｍ以上１４５０ｎｍ以下の波長帯、１５００ｎｍ以上１７００ｎｍ以下の波長帯、１６００ｎｍ以上１８００ｎｍ以下の波長帯、１８００ｎｍ以上２０００ｎｍ以下の波長帯、１０００ｎｍ以上１５００ｎｍ以下の波長帯、９００ｎｍ以上１７００ｎｍ以下の波長帯のうち少なくとも１つを含む波長帯に設定される。
【００７７】
図９は、実施例に係る解析画像の例を示す図である。図９に示すように、リンパ節に相当する部分（図中矢印で示す）は、階調値が低い暗部で表されている。また、皮、脂肪に相当する部分は、階調値が高い明部で表されている。このように、組織ＢＴのうち所定の条件を満たす部分が強調された画像が得られることが確認された。
【００７８】
なお、解析波長帯は、組織ＢＴに含まれる所定物質のスペクトル（例、分光スペクトル）に基づいて設定されてもよい。図１０は、本実施形態に係る所定物質のスペクトル（例、分光スペクトル）の例を示すグラフである。図１０において、スペクトルＳｅは水（例、厚み１０ｍｍ）のスペクトルであり、スペクトルＳｆは脂質のスペクトルである。図１０において、横軸は波長λ（ｎｍ）であり、縦軸は光強度Ｉ（a. u. ）である。
【００７９】
水のスペクトルＳｅは、９００ｎｍ以上１１００ｎｍ以下の波長帯、１１００ｎｍ以上１３００ｎｍ以下の波長帯にそれぞれ、極大値又は極小値を有する。水のスペクトルＳｅは、１７００ｎｍ以上１９００ｎｍ以下の波長帯に極大値を有する。水のスペクトルＳｅは、１９００ｎｍ以上２０００ｎｍ以下の波長帯に極小値を有する。脂質のスペクトルＳｆは、１１００ｎｍ以上１３００ｎｍ以下の波長帯、１３００ｎｍ以上１５００ｎｍ以下の波長帯に、それぞれ、極大値又は極小値を有する。脂質のスペクトルＳｆは、１５００ｎｍ以上１７００ｎｍ以下の波長帯に極大値を有する。極大値と極小値の一方または双方を有する波長帯に解析波長帯を設定した場合、組織ＢＴにおける所定物質の分布を検出しやすい。また、脂質と水の一方のスペクトルの非線形性が強く、他方のスペクトルの線形性が強い波長帯を解析波長帯に設定した場合、組織ＢＴにおいて脂質の比率が多い部分と水の比率が多い部分を区別しやすい。
【００８０】
そのため、例えば、所定物質が脂質又は水を含む場合、解析波長帯は、９００ｎｍ以上１７００ｎｍ以下の波長帯に設定されていてもよい。また、解析波長帯は、９００ｎｍ以上１１００ｎｍ以下の波長帯、１１００ｎｍ以上１３００ｎｍ以下の波長帯、１３００以上１５００ｎｍ以下の波長帯、１５００ｎｍ以上１７００ｎｍ以下の波長帯、１９００ｎｍ以上２０００ｎｍ以下の波長帯のうち少なくとも１つを含む波長帯に設定されていてもよい。
【００８１】
図１１は、本実施形態に係るスペクトルに対応する２階微分係数の分布の例を示す図である。図１１において、分布Ｄｆは、水のスペクトル（例、分光スペクトル）に対応する２階微分係数の分布を示し、分布Ｄｇは、脂質のスペクトル（例、分光スペクトル）に対応する２階微分係数の分布を示す。図１１において、横軸は波長λ（ｎｍ）であり、縦軸は２階微分係数（a. u. ）である。
【００８２】
図１１によれば、水に関する２階微分係数の分布Ｄｆにおいて、９００ｎｍ以上１０００ｎｍ以下の波長帯、１０００ｎｍ以上１１００ｎｍ以下の波長帯、１１００ｎｍ以上１２００ｎｍ以下の波長帯、１１００ｎｍ以上１３００ｎｍ以下の波長帯、１３００ｎｍ以上１４００ｎｍ以下の波長帯、１６５０ｎｍ以上１９００ｎｍ以下の波長帯のそれぞれにおいて、２階微分係数が顕著に大きくなる波長がある。また、脂質に関する分布Ｄｇにおいて、１１００ｎｍ以上１２００ｎｍ以下の波長帯、１１５０ｎｍ以上１３００ｎｍ以下の波長帯、１３５０ｎｍ以上１４５０ｎｍ以下、１６５０ｎｍ以上１８５０ｎｍ以下の波長帯の波長帯のそれぞれにおいて、２階微分係数が顕著に大きくなる波長がある。そのため、解析波長帯は、９００ｎｍ以上１０００ｎｍ以下の波長帯、１０００ｎｍ以上１１００ｎｍ以下の波長帯、１１００ｎｍ以上１２００ｎｍ以下の波長帯、１１００ｎｍ以上１３００ｎｍ以下の波長帯、１１５０ｎｍ以上１３００ｎｍ以下の波長帯、１３００ｎｍ以上１４００ｎｍ以下の波長帯、１３５０ｎｍ以上１４５０ｎｍ以下の波長帯、１６５０ｎｍ以上１８５０ｎｍ以下の波長帯、１６５０ｎｍ以上１９００ｎｍ以下の波長帯のうち少なくとも１つを含む波長帯に設定されていてもよい。
【００８３】
なお、所定物質は、１種類であってもよいし、２種類以上であってもよい。例えば、第１の所定物質のスペクトルに基づいて第１の解析波長帯が選択され、第２の所定物質のスペクトルに基づいて、第１の解析波長帯と異なる第２の解析波長帯が選択されていてもよい。画像解析装置１は、例えば、第１の解析波長帯におけるＮ階微分係数を使って、組織ＢＴにおける第１の所定物質の分布を検出し、第２の解析波長帯におけるＮ階微分係数を使って、組織ＢＴにおける第２の所定物質の分布を検出してもよい。例えば、第１の所定物質は水を含み、第２の所定物質は脂質を含んでいてもよい。
【００８４】
画像解析装置１は、例えば、図示しない記憶装置から読み込まれる画像解析プログラムに従って各種の処理を実行するコンピュータを含む。この画像解析プログラムは、コンピュータに、生物の組織に赤外帯域の光を照射して得られる試料画像をもとに、組織の赤外帯域における光強度の分布を示す分布データを生成することと、分布データをもとに、２以上の整数をＮとして赤外帯域の第１波長帯における光強度の分布のＮ階微分係数を、試料画像の領域ごとに算出することと、Ｎ階微分係数を階調値に変換し、画像データを生成することと、を実行させる。この画像解析プログラムは、コンピュータ読み取り可能な記録媒体に記録されていてもよいし、通信回線を介して提供されてもよい。
【００８５】
次に、本実施形態に係る撮像システムについて説明する。図１２は、本実施形態に係る撮像システム２０を示す図である。撮像システム２０は、上記の解析波長帯の赤外光を用いて生物の組織ＢＴを撮像した試料画像をもとに、組織ＢＴのうち組成が所定の条件を満たす部分を光学的に検出する。
【００８６】
撮像システム２０は、例えば組織ＢＴに関する病理解剖、病理診断、生体検査（生検）など、や生物の手術（例、外科的手術）などに利用される。また、撮像システム２０は、一般的な手術のように組織ＢＴを傷つける処理（侵襲処理）、組織ＢＴを傷つけない各種検査（非侵襲検査）など、医療用途や検査用途、調査用途等に適用できる。
【００８７】
撮像システム２０は、ステージ装置２１、撮像装置（撮像部）２、制御装置２３、入力装置１０、及び表示装置（表示部）９を備える。撮像システム２０は、例えば以下のように動作する。ステージ装置２１は、その上面に組織ＢＴを配置可能である。撮像装置２は、ステージ装置２１に配置された生物の組織ＢＴを撮像する。入力装置１０は、例えば操作者（ユーザ）からの入力を受け付けることができる。制御装置２３は、例えばユーザから入力装置１０に入力される指令、設定などに基づき、撮像システム２０の各部を制御する。制御装置２３には画像解析部２４（画像解析装置）が組み込まれている。画像解析部２４は、組織ＢＴを撮像した試料画像をもとに、組織ＢＴにおいて所定の条件を満たす部分の空間分布を示す画像データを生成する。例えば、画像解析部２４は、組織ＢＴにおける物質の分布を示す画像データを生成する。制御装置２３は、表示装置９に各種情報を表示させる。例えば、制御装置２３は、画像解析部２４が生成した画像データを使って、組織ＢＴにおける物質の分布を示す画像を表示装置９に表示させる。以下、撮像システム２０の各部および画像データの生成手法などについて説明する。
【００８８】
撮像装置２は、光源部２５から射出される光の照明によって組織ＢＴの少なくとも一部から放射される光の光強度を波長ごとに検出できる。例えば、撮像装置２は、ハイパースペクトルカメラのように、ハイパースペクトル画像を取得できる。撮像装置２は、組織ＢＴの一部（撮像対象の領域）から放射される光のスペクトルデータを１回の撮像で取得できる。撮像装置２は、組織ＢＴ上の複数の領域を撮像することにより、組織ＢＴから放射される光の光強度の空間分布を取得できる。撮像装置２は、組織ＢＴ上で撮像対象の領域を移動させながら複数の試料画像を撮像することにより、組織ＢＴから放射される光の任意の波長における光強度の空間分布を取得することができ、かつ組織ＢＴ上の任意の位置から放射される光の波長に対する光強度の分布を取得することができる。撮像装置２は、光源部２５、撮像光学系２６、及び光検出部２７を備える。
【００８９】
光源部２５は、例えばハロゲンランプ又は赤外ＬＥＤ（赤外発光ダイオード）を含む。光源部２５は、画像解析部２４による画像の解析に使われる波長帯の光を射出する。画像の解析に使われる波長帯は、例えば、９００ｎｍ以上１７００ｎｍ以下の波長帯域又は９００ｎｍ以上２０００ｎｍ以下の波長帯域の少なくとも一部である。そこで、撮像装置２の光源部２５は、９００ｎｍ以上１７００ｎｍ以下の波長帯域又は９００ｎｍ以上２０００ｎｍ以下の波長帯域の少なくとも一部を含む波長帯域の光を照射可能である。
【００９０】
光源部２５は、赤外光によりステージ装置２１上の照明領域ＩＲを照明する。照明領域ＩＲは、一方向に長いライン状に設定されている。本実施形態において、光源部２５は、一方向に長いスポット形状の赤外光を射出する。
【００９１】
以下、図１２に示すＸＹＺ直交座標系を参照しつつ、各要素の位置関係などを説明する。このＸＹＺ直交座標系において、照明領域ＩＲの長手方向をＸ軸方向とし、ステージ装置２１上でＸ軸方向に直交する方向をＹ軸方向とする。また、Ｘ軸方向およびＹ軸方向のそれぞれに直交する方向をＺ軸方向とする。Ｘ軸方向およびＹ軸方向は、例えば水平方向に設定され、Ｚ軸方向は例えば鉛直方向に設定される。
【００９２】
撮像光学系２６は、ステージ装置２１上の照明領域ＩＲ（組織ＢＴ）から放射された光を、光検出部２７へ導く。撮像光学系２６は、レンズ２８および分光器２９を備える。レンズ２８は、組織ＢＴから放射された光を光検出部２７上に集光する。分光器２９は、例えばプリズム、回折格子、スリットの少なくとも一つを含み、組織ＢＴから放射された光を複数の波長帯の成分に分光する。分光器２９は、組織ＢＴ上の各点から放射された光を、Ｙ軸方向に長いスポット形状のスペクトル光に分光する。例えば、分光器２９は、このスペクトル光のうち短波長側の成分をＹ軸方向の一方に分光し、長波長側の成分をＹ軸方向の他方に分光する。
【００９３】
光検出部２７は、ＣＭＯＳセンサーあるいはＣＣＤセンサーなどの二次元イメージセンサを含む。光検出部２７は、フォトダイオードなどの光電変換素子が配列される受光面２７ａを有する。受光面２７ａにおいて、１つのフォトダイオードが配置される領域は１つの画素に対応する。以下の説明では、受光面２７ａにおいて、照明領域ＩＲの長手方向に対応する方向をＰｉ方向とし、Ｐｉ方向に直交する方向をＰｊ方向とする。Ｐｉ方向は例えば垂直走査方向であり、Ｐｊは例えば水平走査方向である。光検出部２７の画素は、Ｐｉ方向とＰｊ方向のそれぞれに並んでいる。光検出部２７は、上述したハイパースペクトルカメラの少なくとも一部として動作する。
【００９４】
ここで、Ｐｊ方向に並ぶ複数の画素（水平走査線）に着目する。分光器２９は、組織ＢＴの各点から放射された光を、照明領域ＩＲの長手方向に直交する方向に分布するスペクトル光に分光するので、水平走査線の一端側の画素には、スペクトル光のうち短波長側の成分が入射し、水平走査線の他端側の画素にはスペクトル光のうち長波長側の成分が入射する。このように、光検出部２７は、組織ＢＴ上の一部から放射された光を、水平走査線上に並ぶ複数の画素により、波長帯ごとに分けて検出できる。例えば、光源部２５は、広い波長帯域にわたる赤外光を射出し、光検出部２７の複数の画素は、それぞれ、光源部２５から射出される赤外光よりも狭い波長帯の光を検出する。
【００９５】
例えば、水平走査線の一端の画素に入射する光の波長がλ４であり、他端に入射する光の波長がλ５であるとする。水平走査線上に並ぶ画素の数がＫ個（Ｋは１以上の整数）である場合に、光検出部２７は、波長がλ４からλ５の波長帯域の光を、Ｋ個の波長帯に分けてそれぞれ検出できる。以下、複数の波長帯に分けて光強度を検出する場合の各波長帯の幅を、適宜、検出幅という。検出幅は、λ４、λ５、Ｋに依存するが、例えば、水平走査方向の画素数が１２８０個であれば検出幅を数ｎｍ程度（例、１ｎｍ以上１０ｎｍ未満）にできる。
【００９６】
なお、上記の検出幅は、任意に設定できる。例えば、λ４とλ５の差を小さく設定するほど、またＫを大きく設定するほど、上記の検出幅を狭く（例、１ｎｍ未満に）できる。例えば、λ４とλ４の差を大きく設定するほど、またＫを小さく設定するほど、上記の検出幅を広く（例、１０ｎｍ以上に）できる。例えば、２以上の画素で出力値の平均を取ることにより、上記の検出幅を広く設定できる。
【００９７】
光検出部２７は、一回の撮像処理において、組織ＢＴの照明領域ＩＲに配置されるライン状の部分を撮像する。本実施形態において、ステージ装置２１は、組織ＢＴを保持して所定方向に移動可能であり、照明領域ＩＲと組織ＢＴとの相対位置を可変である。ステージ装置２１が組織ＢＴを保持してＹ軸方向に移動することにより、照明領域ＩＲと組織ＢＴとの相対位置がＹ軸方向において変化し、組織ＢＴが光源部２５からの光で走査される。制御装置２３は、組織ＢＴを保持したステージ装置２１をＹ軸方向に移動させながら、撮像装置２に撮像処理を繰り返し実行させることで、組織ＢＴの二次元的な画像を取得できる。
【００９８】
制御装置２３は、画像解析部２４および記憶部３０を含む。画像解析部２４は、組織ＢＴを撮像した撮像画像を解析し、組織ＢＴに含まれる物質を検出する。画像解析部２４は、例えば、撮像装置２が撮像したハイパースペクトル画像（複数の試料画像）を使って、生物の組織ＢＴの光学特性（例、分光特性）を解析する。本実施形態において、制御装置２３は、撮像装置２から取得した試料画像などの各種情報を記憶部３０に記憶させる。画像解析部２４は、記憶部３０から各種情報を読み出し、処理を行う。
【００９９】
また、上述の実施形態において、撮像装置２は、組織ＢＴから放射される光を分光し、ハイパースペクトル画像を取得するが、他の構成もとりえる。例えば、撮像装置２は、光源部２５から射出する光の波長帯域を切り替えながらデータ（例、試料データ）を取得する構成であっても良い。また、本実施形態におけるハイパースペクトル画像の取得方式は、空間走査方式、スペクトル走査方式、フーリエ変換方式、又は干渉フィルタ方式などである。図１３（Ａ）および図１３（Ｂ）は、それぞれ、撮像装置２の他の構成を示す図である。なお、制御装置２３は上述した構成と同様であり、画像解析部２４は、撮像装置２からの試料データを使って、解析画像のデータを生成することができる。
【０１００】
図１３（Ａ）に示す撮像装置２は、光源部２５、フィルタ３１、及び光検出部２７を備える。光源部２５は、所定の波長帯域に応じた広い波長帯域を有する赤外光を射出する。フィルタ３１は、光源部２５と光検出部２７との間の光路に配置される。例えば、フィルタ３１は、光源部２５と組織ＢＴとの間の光路と、組織ＢＴと光検出部２７との間の光路の少なくとも一方に設けられる。フィルタ３１は、複数のフィルタ部を含み、複数のフィルタ部は、透過する赤外光の波長が互いに異なる。フィルタ３１は、図示しない駆動部によって駆動され、複数のフィルタ部のうち光源部２５と光検出部２７との間に配置されるフィルタ部を切り替えることができる。
【０１０１】
制御装置２３は、フィルタ３１の駆動部を制御し、光源部２５と光検出部２７との間の光路に配置されるフィルタ部を切り替えることにより、光検出部２７に入射する赤外光の波長を制御する。例えば、制御装置２３は、光源部２５と光検出部２７との間の光路に、第１波長帯の赤外光が透過する第１のフィルタ部を配置する。制御装置２３は、組織ＢＴから放射された第１波長帯の赤外光が光検出部に入射している間に、光検出部２７に撮像させる。制御装置２３は、光検出部２７の撮像結果から、組織ＢＴから放射された第１波長帯の赤外光の光強度の空間分布を取得する。同様に、制御装置２３は、光源部２５と光検出部２７との間の光路に、第２波長帯の赤外光が透過する第２のフィルタ部を配置し、組織ＢＴから放射された第２波長帯の赤外光の光強度の空間分布を取得する。このようにして、制御装置２３は、Ｎ個の波長帯における試料データを生成できる。
【０１０２】
図１３（Ｂ）に示す撮像装置２は、光源部２５、及び光検出部２７を備える。光源部２５は、第１の波長帯の赤外光を射出する光源３２ａ、第２の波長帯の赤外光を射出する光源３２ｂ、及び第３の波長帯の赤外光を射出する光源３２ｃを含む。制御装置２３は、光源３２ａ、光源３２ｂ、及び光源３２ｃのそれぞれの点灯あるいは消灯を制御する。制御装置２３は、光源３２ａを点灯状態にしつつ、光源３２ｂおよび光源３２ｃを消灯状態にする。これにより、光源部２５から第１の波長帯の赤外光が射出され、光検出部２７に、組織ＢＴから放射された第１の波長帯の赤外光が入射する。制御装置２３は、光源３２ａ、光源３２ｂ、及び光源３２ｃのうち点灯状態の光源を切り替えながら、光検出部２７に撮像させる。このようにして、制御装置２３は、複数の波長帯のそれぞれにおける試料画像を取得できる。上記の第１〜第３の波長帯の赤外光（この場合、３つの赤外光）は、上述した解析波長帯からＮ階微分係数に基づいて選定された波長帯の光を含む。また、本実施形態における撮像システム２０は、互いに波長の異なる少なくとも３つの赤外光（３つの赤外帯域の光）を組織ＢＴに射出可能な光源部２５と、組織ＢＴを介した該３つの赤外光を受光する光検出部２７と、上述した画像解析装置１と、を備え、画像解析装置１は、光検出部２７から得られる試料画像をもとに、組織ＢＴの３つの赤外光におけるスペクトルを示す分布データを生成する分布データ生成部３と、その分布データをもとに該スペクトルのＮ階微分係数（Ｎは２以上の整数）を算出する微分演算部４と、該Ｎ階微分係数を階調値に変換して画像データを生成する画像データ生成部５と、を備える。本実施形態における画像解析装置１又は撮像システム２０は、組織ＢＴにおける所定物質の分布を高精度に画像として可視化することができる。なお、上記の３つの赤外光は、上記の解析波長帯から選定される。また、この可視化において、画像解析装置１は、階調値をもとに多色化して組織ＢＴにおける所定物質を強調表示しても良い。
【０１０３】
［病理診断システム］
次に、病理診断システム（医療支援システム）について説明する。図１４は、病理診断システム４０の一例を示す図である。この病理診断システム４０は、テーブル４１、照射部４２、照射部４３、撮像装置２、画像解析装置１、入力装置１０、及び表示装置９を備える。テーブル４１は、その上面に組織ＢＴを載置可能である。照射部４２は、例えば、テーブル４１上の組織ＢＴに赤外帯域の光を照射する。照射部４３は、例えば、テーブル４１上の組織ＢＴに可視帯域の光を照射する。撮像装置２は、赤外画像および可視光画像を撮像可能である。照射部４２および撮像装置２は、例えば図１３に示したように、撮像装置２により検出する光の波長を切替可能に構成される。
【０１０４】
画像解析装置１は、撮像装置２により撮像された試料画像をもとに、組織ＢＴにおける所定物質の分布を示す解析画像のデータを生成する。画像解析装置１は、解析画像のデータを表示装置９に供給し、表示装置９に解析画像を表示させる。画像解析装置１は、例えば、組織ＢＴにおける第１の所定物質の分布を示す第１分布画像と、組織ＢＴにおける第２の所定物質の分布を示す第２分布画像とを切り替えて、表示装置９に表示させることもできる。
【０１０５】
画像解析装置１は、撮像装置２により撮像された可視光画像を表示装置９に表示させることもできる。画像解析装置１は、撮像装置２により撮像された可視光画像と、解析結果を示す画像とを重ねたオーバーレイ画像を、表示装置９に表示させることもできる。ユーザは、例えば、表示装置９に表示された画像を見ながら、病理診断を行うことができる。
【０１０６】
［手術支援システム］
次に、手術支援システム（医療支援システム）について説明する。図１５は、手術支援システムＳＹＳの一例を示す図である。この手術支援システムＳＹＳは、上述の実施形態で説明した画像解析部２４を利用したマンモトームである。手術支援システムＳＹＳは、照明ユニット５０および赤外カメラ５１を備える。照明ユニット５０は、乳房などの組織に検出光を照射する。赤外カメラ５１は、組織から放射される光を検出する光検出部である。図示しない画像解析部（画像解析装置１）は、赤外カメラ５１の検出結果（試料データ）をもとに、解析画像のデータを生成する。
【０１０７】
また、手術支援システムＳＹＳは、ベッド５２と、透明プラスチック板５３と、穿孔針５４とを備える。ベッド５２は、被検者をうつ伏せで横臥させるものである。ベッド５２は、被写体である被検者の乳房ＢＴ２（組織）を下方に露出させるための開口部５２ａを有する。透明プラスチック板５３は、乳房ＢＴ２を両側から挟んで平板状に変形させるのに用いられる。穿孔針５４は、組織に対する処理が可能な操作デバイスである。穿孔針５４は、コアニードル生検において乳房ＢＴ２に挿入され、検体を採取する。
【０１０８】
図１５に示すように、乳房ＢＴ２を透明プラスチック板５３で両側から押し付けて平板状に変形させ、この状態で照明ユニット５０から所定の波長帯の赤外光を出射させて赤外カメラ５１により撮像する。これにより、赤外カメラ５１は、照明ユニット５０からの反射赤外光によって乳房ＢＴ２の画像を取得する。
【０１０９】
ところで、一般的なコアニードル生検では、超音波エコーを用いて針の深さを計測しながら穿孔針（コアニードル）を挿入する。乳房は、一般的に脂質が多い組織を含むが、乳癌が発生していると、乳癌の部分は、他の部分と水の量が異なる場合がある。
【０１１０】
手術支援システムＳＹＳは、乳房ＢＴ２における所定物質の分布を示す画像を上述した画像解析装置によって生成し、この画像を患者の組織（例、乳房ＢＴ２）に投影しながら又は表示部に表示しながら、穿孔針５４を乳房ＢＴ２に挿入して組織を採取できる。例えば、オペレータは、画像解析装置が生成した解析画像を観察しながら、乳房ＢＴ２のうち水の量が他の部分と異なる部分に穿孔針５４を挿入することができる。このような手術支援システムＳＹＳは、組織における教師物質の分布を精度よく分析しながら、検体の採取が可能になる。また、Ｘ線被曝の影響の無い赤外光による撮像は、妊娠の有無にかかわらず産婦人科において日常的に適用できる。このように、例えば、手術支援システムＳＹＳは、画像解析部２４を有する撮像システム２０と、穿孔針５４のような操作デバイスとを備える。
【０１１１】
次に、他の手術支援システム（医療支援システム）について説明する。本実施形態において、上述の実施形態と同様の構成については、同じ符号を付してその説明を簡略化あるいは省略する。
【０１１２】
次に、手術支援システムの他の例について説明する。図１６は、手術支援システムＳＹＳの他の例を示す図である。この手術支援システムＳＹＳは、開腹手術などに利用される。手術支援システムＳＹＳは、処置の対象である組織に関する画像を組織上に投影した状態で、組織に対する処理が可能な操作デバイス（図示略）を備える。操作デバイスは、例えば、採血デバイス、止血デバイス、内視鏡器具などを有する腹腔鏡デバイス、切開デバイス、及び開腹デバイスの少なくとも一つを含む。
【０１１３】
手術支援システムＳＹＳは、手術灯６０と、２台の表示装置９と、を備えている。手術灯６０は、可視光を出射する可視照明灯６１、赤外ＬＥＤモジュール６２、赤外カメラ５１、及び投影部６３を備える。複数の赤外ＬＥＤモジュール６２は、開腹により露出している組織に検出光を照射する。赤外カメラ５１は、組織から放射される光を検出する光検出部である。投影部６３は、赤外カメラ５１による検出結果（撮像画像）を使って制御装置（図示略）が生成した画像を投影する。表示装置９は、赤外カメラ５１によって取得した画像や、制御装置が生成した成分画像を表示可能である。なお、例えば手術灯６０に可視光カメラが設けられており、表示装置９は、可視カメラで取得した画像を表示することもできる。また、表示装置９は、赤外光を用いて画像解析装置１が生成した画像と、可視カメラで取得した画像とを重ねて表示することもできる。
【０１１４】
ところで、手術治療の侵襲性・効率は、切開・止血に随伴する損傷・焼灼の範囲と強度で決定される。手術支援システムＳＹＳは、組織に関する情報を示す画像を組織上に投影するので、病変部の他、神経、すい臓などの実質臓器、脂質組織、血管などを視認しやすくなり、手術治療の侵襲性を低減することや、手術治療の効率を高めることができる。
【０１１５】
なお、本発明の技術範囲は、上記の実施形態あるいは変形例に限定されるものではない。例えば、上記の実施形態あるいは変形例で説明した要件の１つ以上は、省略されることがある。また、上記の実施形態あるいは変形例で説明した要件は、適宜組み合わせることができる。
【符号の説明】
【０１１６】
１  画像解析装置、２  撮像装置、３  分布データ生成部、４  微分演算部、５  画像データ生成部、１１  抽出部、２０  撮像システム、２４  画像解析部、ＢＴ  組織、ＳＹＳ  手術支援システム
【図１】
0006451741.tif 000002
【図２】
0006451741.tif 000003
【図３】
0006451741.tif 000004
【図４】
0006451741.tif 000005
【図５】
0006451741.tif 000006
【図６】
0006451741.tif 000007
【図７】
0006451741.tif 000008
【図８】
0006451741.tif 000009
【図９】
0006451741.tif 000010
【図１０】
0006451741.tif 000011
【図１１】
0006451741.tif 000012
【図１２】
0006451741.tif 000013
【図１３】
0006451741.tif 000014
【図１４】
0006451741.tif 000015
【図１５】
0006451741.tif 000016
【図１６】
0006451741.tif 000017